(57)【特許請求の範囲】
【請求項１】
平行に延在する送り軸により光ピックアップを摺動可能に支持したサブシャーシと、記録媒体を回転自在に保持するターンテーブルを搭載したメインシャーシとを引き付けるように付勢して間に介在するカム部材によりスキュー調整を行うスキュー調整装置において、
前記サブシャーシに平行する片方の前記送り軸両端にスパイラル形状に延在する段差を有して前記メインシャーシに係合して回転することで前記光ピックアップのラジアル方向のスキュー調整を行うラジアル調整カムと、このラジアル調整カムと対向する他方の前記送り軸近傍に設けられて前記光ピックアップのタンジェンシャル方向のスキュー調整を行うタンジェンシャル調整カムとからなる前記カム部材を設け、
前記ラジアル調整カムは、前記送り軸の両端から外側に向かってスパイラル形状に延在して略円錐状に直径が小さくなる段差を設け、この段差を前記メインシャーシに係合させて前記送り軸の回転により前記スパイラル形状に沿って送ることで、前記送り軸の片側が降下して他方側が上昇する傾斜により前記光ピックアップのスキュー調整を行うことを特徴とするスキュー調整装置。
【請求項２】
請求項１に記載のスキュー調整装置において、
前記ラジアル調整カムは、前記スパイラル形状の段差を前記送り軸の両端から外側に向かって長く延在させることで前記送り軸の回転に対する前記光ピックアップのスキュー調整量を少なくして精度の高い微調整を可能にしたことを特徴とするスキュー調整装置。
【請求項３】
請求項１に記載のスキュー調整装置において、
前記タンジェンシャル調整カムは、前記ラジアル調整カム間の幅内に配置して且つラジアル調整カムの中心線上に接しないように設けたことを特徴とするスキュー調整装置。
【請求項４】
請求項３に記載のスキュー調整装置において、
前記カム部材は、前記ラジアル調整カムにより前記記録媒体のディスクデータゾーンの略中心位置を支点として前記送り軸を傾けるとともに、前記タンジェンシャル調整カムにより前記ラジアル調整カムを支点にして前記送り軸の片側を傾けるように設けたことを特徴とするスキュー調整装置。
【請求項５】
請求項３に記載のスキュー調整装置において、
前記カム部材は、前記ラジアル調整カムにより前記光ピックアップの送り可能範囲の略中心位置を支点として前記送り軸を傾けるとともに、前記タンジェンシャル調整カムにより前記ラジアル調整カムを支点にして前記送り軸の片側を傾けるように設けたことを特徴とするスキュー調整装置。
【請求項６】
請求項４または請求項５のいずれかに記載のスキュー調整装置において、
前記タンジェンシャル調整カムは、前記送り軸両端の前記ラジアル調整カムを結ぶ線分を底辺とした二等辺三角形の頂点の位置に配置して設けたことを特徴とするスキュー調整装置。
【請求項７】
請求項１または請求項３乃至請求項６のいずれかに記載のスキュー調整装置において、
前記タンジェンシャル調整カムは、前記サブシャーシと前記メインシャーシとの間に回転可能に介在してタマゴ状で回転する外周一部に突出する突起部を備えて回転により位相及び変位を得ることでスキュー調整を行うように設けたことを特徴とするスキュー調整装置。
【請求項８】
請求項１または請求項３乃至請求項６のいずれかに記載のスキュー調整装置において、
前記タンジェンシャル調整カムは、前記サブシャーシと前記メインシャーシとの間を引き離す弾性体を備え、この弾性体の近傍に前記サブシャーシを介して前記メインシャーシに締結して引き寄せる調整ビスを有してスキュー調整を行うように設けたことを特徴とするスキュー調整装置。
【請求項９】
請求項１に記載のスキュー調整装置において、
前記記録媒体は、ＣＤ−ＲＯＭ、ＤＶＤ、ＭＤなどの光ディスクであることを特徴とするスキュー調整装置。
【発明の詳細な説明】
【０００１】
【発明の属する技術分野】
本発明は、スキュー調整装置に係り、より詳細にはディスク面に対して光ピックアップの光軸が直交するように調整するスキュー調整装置に関する。
【０００２】
【従来の技術】
従来、ディスク再生装置には、例えば、記録媒体としてＣＤ−ＲＯＭ、ＤＶＤ、ＭＤなどの高密度記録による光ディスクを再生又は記録する際、光ピックアップの光軸がディスク面に対して直交するように調整するスキュー調整装置を備えている。この従来のスキュー調整装置は、一般的にタンジェンシャル方向の調整とラジアル方向の調整とにより実施される。図８は、このようなディスク再生装置に採用した従来のスキュー調整装置を示す構成図である。また、図９は、図８に示した矢印Ｋ方向から見た平面図である。また、図１０は、図９に示した矢印Ｒ方向から見たスキュ動作を示す図である。また、図１１は、図９に示した矢印Ｓ方向から見たスキュ動作を示す図である。
【０００３】
図８に示すように、従来のスキュー調整装置は、例えば、ＣＤ−ＲＯＭ、ＤＶＤ、ＭＤなどの光ディスク（以下、ディスクと称す）を再生又は記録するディスク再生装置の本体内に収納しており、この本体の内部に収納したメカ基台上（図示せず）にダンパーゴムなどの緩衝部材（図示せず）を介して配置するメインシャーシ６０とサブシャーシ７０との２つのシャーシを備えている。
ここで、メインシャーシ６０には、ターンテーブル６１をモータ軸に直結したディスクモータ６２が搭載されている。また、メインシャーシ６０には、サブシャーシ７０に向かって延在するリブ６４を設けている。このリブ６４は、メインシャーシ６０片側の略中央部に板状に延在する当接リブ６４ｂと、この当接リブ６４ｂの両側に２箇所凹状に形成された挟持リブ６４ａとを備えている。
【０００４】
また、サブシャーシ７０には、光ピックアップ７２と、この光ピックアップ７２をターンテーブル６１上に載置したディスク（図示せず）の径方向に搬送する平行に延在した送り軸７４とを設けている。なお、光ピックアップ７２は、図示されていないピックアップ送り機構により搬送される。また、サブシャーシ７０には、メインシャーシ６０の当接リブ６４ｂと係合する当接部材７１を設けている。また、サブシャーシ７０は、メインシャーシ６０上に開口する開口部６０ａに光ピックアップ７２を底面から突出させるように装着しており、且つスキュー調整を可能とするために、次のような構造で結合される。
【０００５】
まず、サブシャーシ７０には、メインシャーシ６０との間に介在して回転可能に軸支されたラジアル調整カム７５及びタンジェンシャル調整カム７６が各々設けられている。このラジアル調整カム７５及びタンジェンシャル調整カム７６は、サブシャーシ７０に対して軸心高さは不変であり、メインシャーシ６０に対するサブシャーシ７０の傾きを変えられるように形成している。
【０００６】
ここで、ラジアル調整カム７５は、光ピックアップ７２を搬送する平行に延在した片側の送り軸７４に設けられており、この送り軸７４両端の２箇所に各々配置されている。また、ラジアル調整カム７５は、タマゴ状に形成して回転する外周一部に突出する突起部７５ａを設け、回転により位相及び変位が送り軸７４の両端で各々異なって得られるように配置されている。
【０００７】
また、サブシャーシ７０上には、ラジアル調整カム７５と対向する片側にタンジェンシャル調整カム７６を設けている。このタンジェンシャル調整カム７６は、図９に示すように、ラジアル調整カム７５を設けた送り軸７４に対して平行に延在する他方の送り軸７４の近傍に設けられ、ラジアル調整カム７５間の幅Ｌ内に配置しており、かつラジアル調整カム７５の中心線Ｑ上に接しないように設けられている。また、このタンジェンシャル調整カム７６は、ディスク１のデータゾーンＴ（図１０参照）における中心線Ｍ上に配置している。このタンジェンシャル調整カム７６は、ラジアル調整カム７５と同様に、略楕円状に形成して突出する突起部７６ａ（図８参照）を回転することにより位相及び変位が変わるように形成されている。
【０００８】
そして、サブシャーシ７０は、図８に示したように、光ピックアップ７２、送り軸７４、ラジアル調整カム７５、及びタンジェンシャル調整カム７６を各々搭載した表面に弾性を備える螺旋状のコイルバネ７８を設け、このコイルバネ７８をメインシャーシ６０に装着している。従って、メインシャーシ６０及びサブシャーシ７０は、コイルバネ７８によりお互いに引き合うように付勢する。この際、サブシャーシ７０には、図９に示したように、直線Ｎ、Ｏ、Ｐによる三角形の交点上３箇所にラジアル調整カム７５及びタンジェンシャル調整カム７６が配置されている。ここで、ラジアル調整カム７５及びタンジェンシャル調整カム７６は、直線Ｎ、Ｏ、Ｐによる三角形が、送り軸７４両端のラジアル調整カム７５間を結ぶ直線Ｏを底辺として直線Ｎ、Ｐにより二等辺三角形を形成するように配置している。
【０００９】
ここで、サブシャーシ７０は、メインシャーシ６０との位置決めをメインシャーシ６０の狭持リブ６４ａ及び当接リブ６４ｂにより位置決めしている。このサブシャーシ７０は、図９に示したコイルバネ７８により矢印方向に引っ張られて当接部材７１がメインシャーシ６０の当接リブ６４ｂに当接することで図９に示したＸ方向の動きを位置決めする。
【００１０】
この当接部材７１は、図１０に示すように、先端が尖っており、ディスク１のデータゾーンＴの中心線Ｍと送り軸７４の中心線とが直交する交点で当接リブ６４ｂに当接するように形成している。従って、ラジアル調整カム７５は、ディスク１のデータゾーンＴにおける中心線Ｍを支点として送り軸７４の両端を傾けて調整できるように形成されている。
【００１１】
また、メインシャーシ６０の挟持リブ６４ａは、図９に示した送り軸７４の両端に係合しており、送り軸７４の上部から挟持するように上部と側面に覆設されている。なお、挟持リブ６４ａは、コイルバネ７８のＹ方向の分力により一方の側面に当接している。このようにサブシャーシ７０は、挟持リブ６４ａが送り軸７４に係合することで、図９に示したＹ方向の動きを位置決めする。
【００１２】
このような構成からなる従来のスキュー調整装置を用いてスキュー調整を実行する場合、まず、ラジアル調整を行う際、図８に示したラジアル調整カム７５を回動して突出部７５ａを突出させて位相及び変位を変えることで実行される。ここで、図１０には、ターンテーブル６１からディスク１の外周に位置するラジアル調整カム７５までの距離を横軸に示し、この距離に対するフォーカスアクチュエータのオフセット量を縦軸に示している。すなわち、ラジアル調整カム７５は、図１０に示したディスク１のデータゾーンＴにおける内周及び外周間の中心線Ｍを支点にして送り軸７４の両端を傾かせることで、内周側でサブシャーシ７０がラジアル方向に傾斜してディスク１から離れる調整（−α）及びディスク１と近付く調整（α）のいずれかを実行する。従って、このサブシャーシ７０に支持した光ピックアップ７２は、サブシャーシ７０の傾斜によりラジアル方向に光軸の角度を変えるため、ラジアル方向におけるスキュー調整が達成される。
【００１３】
一方、タンジェンシャル調整は、図１１に示すように、タンジェンシャル調整カム７６を回動させて位相及び変位を変えることで実行する。ここで、図１１には、ラジアル調整カム７５とタンジェンシャル調整カム７６との支点間の距離を横軸に示し、この距離に対するフォーカスアクチュエータのオフセット量を縦軸に示している。すなわち、タンジェンシャル調整カム７６を回転することで、メインシャーシ６０と当接するラジアル調整カム７５を支点としてサブシャーシ７０のタンジェンシャル調整カム７６側が昇降して傾き、ディスク１から離れる調整（−α）及びディスク１と近付く調整（α）のいずれかが実行される。従って、このサブシャーシ７０に支持した光ピックアップ７２は、サブシャーシ７０の傾斜によりタンジェンシャル方向に光軸の角度を変えるため、タンジェンシャル方向におけるスキュー調整が達成される。ここで、タンジェンシャル方向のスキュー調整時には、狭持リブ６４ａにより狭持した送り軸７４を中心にサブシャーシ７０を回転させるため、光ピックアップ７２の焦点（光軸）位置Ｕからラジアル調整カム７５及びタンジェンシャル調整カム７６までの距離を短くでき、オフセット量も低減できる。
【００１４】
このように従来のスキュー調整装置は、図９に示したように、ラジアル調整カム７５及びタンジェンシャル調整カム７６を直線Ｎ、Ｏ、Ｐによる二等辺三角形の交点上に各々配置することで、タマゴ状のカムを安定して回転させるとともに、光ピックアップ７２のスキュー調整を確実に実行できるように形成していた。
【００１５】
【発明が解決しようとする課題】
しかしながら、従来のスキュー調整装置では、図８に示したように、ラジアル調整カム７５及びタンジェンシャル調整カム７６のタマゴ状で回転する外周一部の突出した突起部７５ａ、７６ａが１８０°つまり半回転することによりスキュー調整量の最小値（ｍｉｎ）から最高値（ｍａｘ）に達するため、送り軸７４の回転角に対するスキュー調整量の傾き感度が高すぎて精度の高い微調整が出来ないという不具合があった。
また、従来のスキュー調整装置では、例えば、前述したタマゴ状のカムを用いて多くのスキュー調整量を得る場合、送り軸７４の中心から突起部７５ａ先端までの高さを長く設けるため、カム傾斜がきつくなり、突起部７５ａから送り軸７４に加わるモーメントにより容易に回転して角度のズレが生じてしまうとともに、回り止めを強固にする必要があるという不具合があった。
本発明はこのような課題を解決し、スキュー調整量に対するカム部材の回転角を自由に設定でき回転角のズレを防止し、精度の高い微調整が可能なスキュー調整装置を提供することを目的とする。
【００１６】
【課題を解決するための手段】
本発明は上述の課題を解決するために、平行に延在する送り軸により光ピックアップを摺動可能に支持したサブシャーシと記録媒体を回転自在に保持するターンテーブルを搭載したメインシャーシとを引き付けるように付勢して間に介在するカム部材によりスキュー調整を行うスキュー調整装置であって、サブシャーシに平行する片方の送り軸両端にスパイラル形状に延在する段差を有してメインシャーシに係合して回転することで光ピックアップのラジアル方向のスキュー調整を行うラジアル調整カムと、このラジアル調整カムと対向する他方の送り軸近傍に設けられて光ピックアップのタンジェンシャル方向のスキュー調整を行うタンジェンシャル調整カムとからなるカム部材を設け、ラジアル調整カムは、送り軸の両端から外側に向かってスパイラル形状に延在して略円錐状に直径が小さくなる段差を設け、この段差をメインシャーシに係合させて送り軸の回転によりスパイラル形状に沿って送ることで、送り軸の片側が降下して他方側が上昇する傾斜により光ピックアップのスキュー調整を行う。
【００１７】
ここで、ラジアル調整カムは、スパイラル形状の段差を送り軸の両端から外側に向かって長く延在させることで送り軸の回転に対する光ピックアップのスキュー調整量を少なくして精度の高い微調整を可能にすることが好ましい。
【００１８】
また、タンジェンシャル調整カムは、ラジアル調整カム間の幅内に配置して且つラジアル調整カムの中心線上に接しないように設けることが好ましい。また、カム部材は、ラジアル調整カムにより記録媒体のディスクデータゾーンの略中心位置を支点として送り軸を傾けるとともに、タンジェンシャル調整カムによりラジアル調整カムを支点にして送り軸の片側を傾けるように設けることが好ましい。また、カム部材の他の実施例は、ラジアル調整カムにより光ピックアップの送り可能範囲の略中心位置を支点として送り軸を傾けるとともに、タンジェンシャル調整カムによりラジアル調整カムを支点にして送り軸の片側を傾けるように設けることが好ましい。また、タンジェンシャル調整カムは、送り軸両端のラジアル調整カムを結ぶ線分を底辺とした二等辺三角形の頂点の位置に配置して設けることが好ましい。
【００１９】
また、タンジェンシャル調整カムは、サブシャーシとメインシャーシとの間に回転可能に介在してタマゴ状で回転する外周一部に突出する突起部を備えて回転により位相及び変位を得ることでスキュー調整を行うように設けることが好ましい。また、タンジェンシャル調整カムの他の実施例は、サブシャーシとメインシャーシとの間を引き離す弾性体を備え、この弾性体の近傍にサブシャーシを介してメインシャーシに締結して引き寄せる調整ビスを有してスキュー調整を行うように設けることが好ましい。また、記録媒体は、ＣＤ−ＲＯＭ、ＤＶＤ、ＭＤなどの光ディスクであることが好ましい。
【００２０】
【発明の実施の形態】
次に、添付図面を参照して本発明によるスキュー調整装置の実施の形態を詳細に説明する。図１は、本発明によるスキュー調整装置の実施の形態を示す構成図である。また、図２は、図１に示したラジアル調整カム２５の詳細を示す図である。また、図３は、図２に示したラジアル調整カムの他の実施例を示す図である。また、図４は、図１に示した矢印Ａ方向から見た平面図である。また、図５は、図１に示したタンジェンシャル調整カムの他の実施例を示す図である。また、図６は、図５に示した矢印Ｇ方向から見たスキュ動作を示す図である。また、図７は、図５に示した矢印Ｈ方向から見たスキュ動作を示す図である。
【００２１】
図１に示すように、本発明によるスキュー調整装置の実施の形態は、図８に示した従来技術と同様に、ＣＤ−ＲＯＭ、ＤＶＤ、ＭＤなどの光ディスク（以下、ディスクと称す）を再生又は記録するディスク再生装置の本体内に収納しており、この本体の内部に収納したメカ基台上（図示せず）にダンパーゴムなどの緩衝部材（図示せず）を介して配置するメインシャーシ１０とサブシャーシ２０との２つのシャーシを備えている。
【００２２】
ここで、メインシャーシ１０には、ターンテーブル１１をモータ軸に直結したディスクモータ１２が搭載されている。また、メインシャーシ１０には、サブシャーシ２０に向かって延在するリブ１４を設けている。このリブ１４は、メインシャーシ１０片側の略中央部に板状に延在する当接リブ１４ｂと、この当接リブ１４ｂの両側に２箇所凹状に形成された挟持リブ１４ａとを備えている。
【００２３】
また、サブシャーシ２０には、光ピックアップ２２と、この光ピックアップ２２をターンテーブル１１上に載置したディスク（図示せず）の径方向に搬送する平行に延在した送り軸２４とを設けている。なお、光ピックアップ２２は、図示されていないピックアップ送り機構により搬送される。また、サブシャーシ２０には、メインシャーシ１０の当接リブ１４ｂと係合する当接部材２１を設けている。また、サブシャーシ２０は、メインシャーシ１０上に開口する開口部１０ａに光ピックアップ２２を底面から突出させるように装着しており、且つスキュー調整を可能とするために、次のような構造で結合される。
【００２４】
まず、サブシャーシ２０には、メインシャーシ１０との間に介在して回転可能に軸支されたラジアル調整カム２５及びタンジェンシャル調整カム２６が各々設けられている。このラジアル調整カム２５及びタンジェンシャル調整カム２６は、サブシャーシ２０に対して軸心高さは不変であり、メインシャーシ１０に対するサブシャーシ２０の傾きを変えられるように形成している。
【００２５】
ここで、ラジアル調整カム２５は、光ピックアップ２２を搬送する平行に延在した片側の送り軸２４に設けられており、この送り軸２４両端の２箇所に各々配置されている。また、ラジアル調整カム２５は、図８に示した従来技術とは異なり、送り軸２４の両端にスパイラル形状に延在する段差を形成している。このラジアル調整カム２５は、図２に示すように、送り軸２４の両端から外側に向かってスパイラル形状に延在して略円錐状に直径が小さくる段差を設けている。そして、このラジアル調整カム２５は、スパイラル形状の段差を図１に示したメインシャーシ１０に係合して送り軸２４の回転によりスパイラル形状に沿って送ることで、送り軸２４の片側が降下して他方側が上昇する傾斜によって光ピックアップ２２のスキュー調整を行うように形成している。ここで、ラジアル調整カムは、図３に示すように、送り軸２４の両端から外側に向かってスパイラル形状の段差を長く延在、即ち、送り軸２４の回転に対する光ピックアップ２２のスキュー調整量を少なくし、精度の高い微調整を可能している。
【００２６】
再び図１を参照して、サブシャーシ２０上には、図８に示した従来技術と同様に、ラジアル調整カム２５と対向する片側の送り軸２４近傍にタンジェンシャル調整カム２６を設けている。このタンジェンシャル調整カム２６は、図４に示すように、ラジアル調整カム２５を設けた送り軸２４と平行に延在する他方の送り軸２４近傍に設けられ、ラジアル調整カム２５間の幅Ｂ内に配置しており、かつラジアル調整カム２５の中心線Ｑ上に接しないように設けられている。また、このタンジェンシャル調整カム２６は、ディスク１のデータゾーンＩ（図６参照）における中心線Ｃ上に配置している。このタンジェンシャル調整カム２６は、タマゴ状に形成して回転する外周一部の突出する突起部２６ａ（図１参照）を回転することにより位相及び変位が変わるように形成されている。このタンジェンシャル調整カム２６は、タマゴ状のカムに限定されるものではなく、例えば、図５に示すように、メインシャーシ４０とサブシャーシ５０との間を引き離す弾性体５８を備え、この弾性体５８の近傍にサブシャーシ５０を介してメインシャーシ４０に締結して引き寄せる調整ビス５６によりスキュー調整を行うことも可能である。この際、サブシャーシ５０には、メインシャーシ４０の傾きに応じて調整ビス５６が円滑に動作するように案内する突出部５０ａを設けている。このように図１に示したタンジェンシャル調整カム２６は、必ずしも略楕円状のカムである必要はなく、メインシャーシ１０とサブシャーシ２０との高さを変えられ、且つ、ラジアル調整カム２５のスキュ調整を阻害しない構造であれば用いることができる。
【００２７】
そして、サブシャーシ２０は、図１に示したように、光ピックアップ２２、送り軸２４、ラジアル調整カム２５、及びタンジェンシャル調整カム２６を各々搭載した表面に弾性を備える螺旋状のコイルバネ２８を設け、このコイルバネ２８をメインシャーシ１０に装着している。従って、メインシャーシ１０及びサブシャーシ２０は、コイルバネ２８によりお互いに引き合うように付勢する。この際、サブシャーシ２０には、図４に示したように、直線Ｄ、Ｅ、Ｆによる三角形の交点上３箇所にラジアル調整カム２５及びタンジェンシャル調整カム２６を各々配置している。このラジアル調整カム２５及びタンジェンシャル調整カム２６は、直線Ｄ、Ｅ、Ｆによる三角形が、送り軸２４両端のラジアル調整カム２５間を結ぶ直線Ｅを底辺として直線ＤＦにより二等辺三角形を形成するように配置している。
【００２８】
ここで、サブシャーシ２０は、メインシャーシ１０との位置決めをメインシャーシ１０の狭持リブ１４ａ及び当接リブ１４ｂにより位置決めしている。まず、サブシャーシ２０は、図４に示したコイルバネ２８により矢印方向に引っ張られて当接部材２１がメインシャーシ１０の当接リブ１４ｂに当接することで図４に示したＸ方向の動きを位置決めする。この当接部材２１は、図６に示すように、先端が尖っており、ディスク１のデータゾーンＩの中心軸Ｃと送り軸２４の中心線とが直交する交点で当接リブ１４ｂに当接するように形成している。従って、ラジアル調整カム２５は、ディスク１のデータゾーンＩにおける中心線Ｃを支点として送り軸２４の両端を傾けてスキュ調整できるように形成している。
【００２９】
また、メインシャーシ１０の挟持リブ１４ａは、図４に示した送り軸２４の両端に係合しており、送り軸２４の上部から挟持するように上部と側面に覆設されている。なお、挟持リブ１４ａは、コイルバネ２８のＹ方向の分力により一方の側面に当接している。このようにサブシャーシ２０は、挟持リブ１４ａが送り軸２４に係合することで、図４に示したＹ方向の動きを位置決めする。
【００３０】
このように形成された本発明によるスキュー調整装置の実施の形態を用いてスキュー調整を実行する場合、まず、ラジアル調整を行う際、図６に示したように、ラジアル調整カム２５を回動させてメインシャーシ１０をスパイラル形状に沿って所定方向に送ることで、送り軸２４の片側が降下して他方側が上昇する傾斜により光ピックアップ２２のスキュー調整が実行される。ここで、図６には、ターンテーブル１１からディスク１の外周に位置するラジアル調整カム２５までの距離を横軸に示し、この距離に対するフォーカスアクチュエータのオフセット量を縦軸に示している。すなわち、ラジアル調整カム２５は、図６に示したディスク１のデータゾーンＩにおける内周及び外周間の中心線Ｃを支点にして送り軸２４の両端を傾けることで、内周側でサブシャーシ２０がラジアル方向に傾斜してディスク１から離れる調整（−α）、及びディスク１と近付く調整（α）のいずれかを実行する。従って、このサブシャーシ２０に支持した光ピックアップ２２は、サブシャーシ２０の傾斜によりラジアル方向に光軸の角度を変えるため、ラジアル方向におけるスキュー調整が達成される。
【００３１】
一方、タンジェンシャル調整は、図７に示すように、タンジェンシャル調整カム２６を回動させて位相及び変位を変えることで実行する。ここで、図７には、ラジアル調整カム２５とタンジェンシャル調整カム２６との支点間の距離を横軸に示し、この距離に対するフォーカスアクチュエータのオフセット量を縦軸に示している。すなわち、タンジェンシャル調整カム２６を回転することで、メインシャーシ１０に係合するラジアル調整カム２５を支点としてサブシャーシ２０のタンジェンシャル調整カム２６側が昇降して傾き、ディスク１から離れる調整（−α）及びディスク１と近付く調整（α）のいずれかが実行される。従って、サブシャーシ２０に支持した光ピックアップ２２は、サブシャーシ２０の傾斜によりタンジェンシャル方向に光軸の角度を変えるため、タンジェンシャル方向におけるスキュー調整が達成される。ここで、タンジェンシャル方向のスキュー調整時には、狭持リブ１４ａにより狭持した送り軸２４を中心にサブシャーシ２０を回転させるため、光ピックアップ２２の焦点（光軸）位置Ｊからラジアル調整カム２５及びタンジェンシャル調整カム２６までの距離を短くでき、オフセット量も低減できる。
【００３２】
以上、本発明によるスキュー調整装置の実施の形態を詳細に説明したが、本発明は前述した実施の形態に限定されるものではなく、その要旨を逸脱しない範囲で変更可能である。
例えば、タンジェンシャル調整カムをディスクのデータゾーンＩにおける中心軸Ｃの位置（図４参照）に配置した実施の形態を説明したが、これに限定されるものではなく、光ピックアップの送り可能範囲の略中心位置を通り、送り軸と垂直方向に延びる直線上に配置してもよい。
また、送り軸の両端に向かって直径が小さくなる略円錐状のラジアル調整カムを設けた実施の形態を説明したが、これに限定されるものではなく、例えば、送り軸の両端に向かって直径が広がる略円錐状に形成してもよい。
【００３３】
【発明の効果】
このように本発明によるスキュー調整装置によれば、スパイラル形状のラジアル調整カムによりスキュー調整量の最低値（ｍｉｎ）から最高値（ｍａｘ）に達するまでの回転角を大きく（多く）設定できるため、送り軸の回転角に対するスキュー調整の精度をあげることができ、微調整が可能になる。
また、本発明によるスキュー調整装置によれば、ラジアル調整カムのスパイラル形状の段差を送り軸の外側に長く設けることができるため、カムの傾斜をゆるく設定でき、送り軸の回り止めを強固にする必要がなく回転角のズレを防止して安定した動作を実現することができる。
【図面の簡単な説明】
【図１】本発明によるスキュー調整装置の実施の形態を示す構成図。
【図２】図１に示したラジアル調整カムの詳細を示す図。
【図３】図２に示したラジアル調整カムの他の実施例を示す図。
【図４】図１に示した矢印Ａ方向から見た平面図。
【図５】図１に示したタンジェンシャル調整カムの他の実施例を示す図。
【図６】図５に示した矢印Ｇ方向から見たスキュ動作を示す図。
【図７】図５に示した矢印Ｈ方向から見たスキュ動作を示す図。
【図８】従来のスキュー調整装置を示す構成図。
【図９】図８に示した矢印Ｋ方向から見た平面図。
【図１０】図９に示した矢印Ｒ方向から見たスキュ動作を示す図。
【図１１】図９に示した矢印Ｓ方向から見たスキュ動作を示す図。
【符号の説明】
１０    メインシャーシ
１１    ターンテーブル
１２    ディスクモータ
１４    リブ
１４ａ  挟持リブ
１４ｂ  当接リブ
２０    サブシャーシ
２１    当接部材
２２    光ピックアップ
２４    送り軸
２５    ラジアル調整カム
２６    タンジェンシャル調整カム
２８    コイルバネ
【図１】
0003751213.tif 000002
【図２】
0003751213.tif 000003
【図３】
0003751213.tif 000004
【図４】
0003751213.tif 000005
【図５】
0003751213.tif 000006
【図６】
0003751213.tif 000007
【図７】
0003751213.tif 000008
【図８】
0003751213.tif 000009
【図９】
0003751213.tif 000010
【図１０】
0003751213.tif 000011
【図１１】
0003751213.tif 000012